(57)【要約】【課題】高温環境において絶縁ベースの変形が避けられ、金属蓋を任意角度に持ち上げても優れた固定性を有する蓋持ち上げ式メモリカードコネクタを提供する。【解決手段】メモリカードを収容する絶縁ベース１と絶縁ベース１と向かい合って持ち上げ可能な金属蓋２とから構成する。絶縁ベース１と金属蓋２との間の旋接構造を改良し、絶縁ベース１と金属蓋２とが圧迫して挟む作用のない噛み合わせ構造にする。絶縁ベース１の細長い旋接溝１７に延長溝１７２を設け、金属蓋２の旋接突起部２３の内側は延長溝１７と向かい合う延長突起部２３１を設ける。これにより、コネクタが高温環境のハンダ付け工程を通過するとき、熱応力による絶縁ベース１の異常が避けられるほか、金属蓋２を持ち上げるとき、金属蓋２の延長突起部２３１により、細長い旋接溝１７の頂部内壁に干渉力を発生させ、金属蓋２を任意角度に持ち上げても優れた固定性を有する。【選択図】図２
2009117329.tif 000002
【特許請求の範囲】
【請求項１】
メモリカードを収容する絶縁ベースと、前記絶縁ベースに向き合って設けられ、回転して持ち上げ可能な金属蓋と、を備え、
前記絶縁ベースは、プラスチックからなる絶縁ベース体に複数の導通端子を埋め込み、底部の両端に接地プレートを設け、回転中心側の端部の両側にそれぞれ細長い旋接溝を設け、
前記金属蓋は、金属から形成され、端部に接地ばねシートを設け、両側面にそれぞれ内側に折り曲げられた噛み合わせシートを設け、両側の回転中心側の端部にそれぞれ旋接突起部を設け、
前記絶縁ベースは、前記旋接溝の内部に延長溝を設け、
前記金属蓋は、前記旋接突起部と隣り合う内側に絶縁ベースと釣り合う延長突起部を設け、
前記延長突起部が回転するとき、前記旋接溝の頂部内壁との間に摩擦が発生することにより、前記金属蓋が任意の持ち上げ角度においても固定可能となり、前記金属蓋の両側の旋接端の前記旋接突起部と前記絶縁ベースの両側の前記旋接溝とが押圧しないことを特徴とする蓋持ち上げ式メモリカードコネクタ。
【請求項２】
前記絶縁ベースは、前記旋接溝の下部面に埋め込み開口部を有することを特徴とする請求項１に記載の蓋持ち上げ式メモリカードコネクタ。
【請求項３】
前記金属蓋の前記延長突起部は、水平方向に延びて形成されることを特徴とする請求項１に記載の蓋持ち上げ式メモリカードコネクタ。
【請求項４】
前記絶縁ベースは、前記旋接溝の中間の位置に突起部を設け、前記突起部と前記金属蓋の前記旋接突起部との摩擦力により係止されることを特徴とする請求項１に記載の蓋持ち上げ式メモリカードコネクタ。
【請求項５】
前記絶縁ベースは選択された前記接地プレートの上部面に２本のピンを設け、前記金属蓋の前記接地ばねシートと向き合う位置において、前記絶縁ベースに溝表面を設け、前記溝表面に二つの挿入孔を開け、前記接地プレートに備えられる２本の前記ピンを下から上へ向き合う二つの前記挿入孔に挿入し、２本の前記ピンを折り曲げ前記溝表面に密着させ、前記金属蓋の前記接地ばねシートと導通接触することを特徴とする請求項１に記載の蓋持ち上げ式メモリカードコネクタ。
【発明の詳細な説明】
【技術分野】
【０００１】
本発明は、蓋持ち上げ式メモリカードコネクタに関し、特に絶縁ベースと金属蓋との旋接機構に特徴を有する蓋持ち上げ式メモリカードコネクタに関する。
【背景技術】
【０００２】
従来、蓋持ち上げ式メモリカードコネクタは、主にプラスチック製の絶縁ベース及び金属蓋より構成される。そのうち、金属蓋は絶縁ベース回転可能に接続し、金属蓋を持ち上げた後、メモリカード（通常のＭＩＣＲＯ  ＳＤメモリカードなど）を挿入し、再びこれを押下げることにより、絶縁ベースと蓋の閉まった状態となる。さらに、金属蓋を前後に移動し、金属蓋が絶縁ベースに固定（LOCK）、又は固定解除（OPEN）される状態となる。
【０００３】
前記した蓋持ち上げ式メモリカードコネクタは、側面の蓋持ち上げ構造のほか、そのほとんどは絶縁ベースの両側の端部に設けられる突起部と金属蓋の両側の端部に設けられる細長い旋接溝とが掛け合わさり、回転可能に接続される。金属蓋両側の旋接突起部は絶縁ベース両側の細長い旋接溝を緊密に圧接して挟むことにより、金属蓋を持ち上げるときに生じる摩擦の働きで任意の持ち上げ角度に固定することができる。
【０００４】
蓋持ち上げ式メモリカードコネクタは、上述した金属蓋の任意角度における固定機能が要求されるため、旋接突起部と旋接溝とが摩擦力を発生させる機構が必要である。しかしながら、金属部材とプラスチック材とが磨耗を引き起こすため、１万回の持ち上げ耐久試験のような厳しい要求を満足できない。特に旋接突起部と旋接溝とが圧接して挟む形態のままで組み合わせた後、コネクタがリフローを通過しプリント基板に結合するとき、高温ハンダ付け工程において、プラスチックで形成された旋接溝が金属加工の旋接突起部に押圧されることにより、プラスチック絶縁ベースの旋接溝が熱応力を受け、異常変形して製品不良が発生するため、改善の余地がある。
【発明の開示】
【発明が解決しようとする課題】
【０００５】
本発明の主な目的は、絶縁ベースと金属蓋とが圧接して挟み合うことなく、金属蓋を任意角度で固定できる蓋持ち上げ式メモリカードコネクタを提供することである。
本発明の次の目的は、１万回の持ち上げ耐久試験回数が確保可能な蓋持ち上げ式メモリカードコネクタを提供することである。
さらに、本発明の又一つの目的は、金属蓋の旋接突起部により、優れた一時制止効果を与える蓋持ち上げ式メモリカードコネクタを提供することをである。
【課題を解決するための手段】
【０００６】
本発明にかかる蓋持ち上げ式メモリカードコネクタは、メモリカードを収容する絶縁ベースと、この絶縁ベースと向き合い持ち上げ可能な金属蓋とから構成される。この絶縁ベースの細長い旋接溝に延長溝を設け、金属蓋旋接突起部の内側に延長溝と向き合う延長突起部を設ける。これにより、コネクタが高温環境のハンダ付け工程を通過するとき、熱応力による絶縁ベースの異常が避けられる。さらに、金属蓋を持ち上げるとき、金属蓋の延長突起部により、細長い旋接溝頂部内壁に摩擦力を発生させ、金属蓋を任意角度に持ち上げても優れた固定性を有する。
【０００７】
本発明にかかる蓋持ち上げ式メモリカードコネクタは、絶縁ベースと金属蓋とが押圧し噛み合う状態から解放するため、絶縁ベースの細長い旋接溝と金属蓋の旋接突起部とにそれぞれ互いに向き合う延長溝と延長部とを設ける。これにより、金属蓋を持ち上げるとき、金属蓋の延長突起部により、細長い旋接溝の頂部内壁に干渉を発生させる。このため、金属蓋を任意角度で固定することができる。
【０００８】
本発明にかかる蓋持ち上げ式メモリカードコネクタは、絶縁ベースと金属蓋との回転可能な接合部に圧接して挟むことがない。このため、コネクタがリフローを通過しプリント基板に結合するとき、プラスチックの旋接溝は金属製の旋接突起部から継続に圧迫されることが防止できる。この結果、プラスチック製絶縁ベースの旋接溝付近に異常が発生することを防止できる。
本発明にかかる蓋持ち上げ式メモリカードコネクタは、絶縁ベースの旋接端の細長い旋接溝の中間場所に突起部を設け、この突起部は金属蓋旋接端の突起部を仕切る係止めを形成する。このため、金属蓋の旋接突起部が前後移動する範囲は、突起部による係止作用により、金属蓋の移動変化を正確に捉え、金属蓋の旋接突起部により、優れた一時制止効果を与えることができる。
【発明を実施するための最良の形態】
【０００９】
以下、本発明の一実施形態を図面に基づいて説明する。
（一実施形態）
本発明の一実施形態による蓋持ち上げ式メモリカードコネクタを図１から図５に示す。本発明の一実施形態による蓋持ち上げ式メモリカードコネクタは、メモリカードを収容する絶縁ベース１と、絶縁ベース１と向かい合って設けられる金属蓋２とにより構成される。そのうち、絶縁ベース１はプラスチック製の絶縁ベース体より形成され、ベース体にメモリカードと合致する寸法の収容溝１１を設ける。収容溝１１の両側にそれぞれ側壁１２、１３を設け、収容溝１１の内部に複数の導通端子１４を設けて、メモリカードと電気接続する。各導通端子１４の後ろ側のハンダ付け部１４１はリフローハンダ付けにより、プリント基板に結合する。さらに、絶縁ベース１の両側の底部に、少なくとも一つの接地プレート１５、１６を設け、絶縁ベース１の両側の旋接端に細長い旋接溝１７をそれぞれ設け、旋接溝１７の下部面に埋め込み開口部１７１を設けて、溝内部に延長溝１７２（図５参照）を設ける。
【００１０】
金属蓋２は、金属プレートをプレス加工により断面が逆Ｕ字型の蓋体に形成する。その端面の片側に少なくとも一つの接地ばねシート２１を設け、両側は内側に折り曲げられた噛み合わせシート２２をそれぞれ設け、その両側の回転中心側の端部に旋接突起部２３をそれぞれ設け、旋接突起部２３と隣り合う内側に、延長溝１７２と向き合う延長突起部２３１を設ける。延長突起部２３１は水平方向へ適度に延びており、回転するときは旋接溝１７の頂部内壁と摩擦抵抗を発生し、金属蓋２の両側の旋接端の旋接突起部２３は絶縁ベース１の両側の旋接溝１７との間に、押圧することのない噛み合わせ状態（図６参照）を形成する。
【００１１】
絶縁ベース１と金属蓋２との組み合わせにより、絶縁ベース１と金属蓋２との間に、押圧することのない噛み合わせ状態を形成する。絶縁ベース１と金属蓋２とは、それぞれ回転中心側の端部において、向かい合う旋接溝１７と旋接突起部２３とが互いに組み合わさる延長溝１７２と延長突起部２３１とを設ける。このため、金属蓋２の旋接突起部２３は、旋接溝１７の内部で前後に移動可能である。図６に示すのは、前進してロックした状態で、図７及び図８に示すのは、後ろ側に移動して解除した状態である。解除状態のとき、金属蓋２は抵抗無く持ち上げることができる。さらに、金属蓋２の延長突起部２３１により、旋接溝１７の頂部の内壁に摩擦が発生する（図９の点線で示す）。このため、金属蓋２は任意の持ち上げ角度において停止することができる。
【００１２】
本発明の一実施形態に係る絶縁ベース１と金属蓋２との旋接噛み合わせは、押圧することがない。このため、コネクタがリフローハンダ付け工程を通過してプリント基板に結合するとき、プラスチック製の旋接溝１７は、金属製の旋接突起部２３の圧迫を受けない。絶縁ベース１の旋接溝１７の付近で熱変形の異常が発生しないため、品質が向上し、１万回の持ち上げ耐久試験に耐えられる。
【００１３】
本発明の他の実施形態による蓋持ち上げ式メモリカードコネクタを図１０及び図１１に示す。本発明の他の実施形態による蓋持ち上げ式メモリカードコネクタは、さらに絶縁ベース２の旋接溝１７の中間の位置に突起部１７３を設ける。突起部１７３は、金属蓋２の旋接突起部２３を適当な摩擦力により係止するため、金属蓋２の旋接突起部２３が前後して移動する過程で突起部１７３による引っかかりを利用し、金属蓋２の移動を正確に捉え、旋接突起部２３を突起部１７３で係止し、優れた一時制止効果を与える。
【００１４】
さらに、図２に示す通り、絶縁ベース１の底部に備える一つの接地プレート１５は、接地プレート１５の上部面に２本のピン１５１を形成し、金属蓋２に設けられた接地ばねシート２１に向き合う位置に絶縁ベース１の溝表面１８を開ける。溝表面１８はさらに二つの挿入孔１８１を形成し、接地プレート１５に備わる２本のピン１５１を下から上へ向かい合う二つの挿入孔１８１に挿入し、２本のピン１５１を折り曲げて溝表面１８に密着させ、接地プレート１５と金属蓋２の接地ばねシート２１とを導通接触（図１２及び図１３参照）する。
前記した本発明の一実施形態は、本発明の主な技術説明に提示したものであり、本発明の技術請求範囲に何らの制限を加わるものではない。よって、このほかの等効果の応用又は簡易な変更、置き換えなどは、なお本発明の範疇に含まれる。
【図面の簡単な説明】
【００１５】
【図１】本発明の一実施形態による蓋持ち上げ式メモリカードコネクタにおいて、金属蓋を持ち上げた状態を示す斜視図である。
【図２】本発明の一実施形態による蓋持ち上げ式メモリカードコネクタを示す分解斜視図である。
【図３】本発明の一実施形態による蓋持ち上げ式メモリカードコネクタにおいて、金属蓋がロックされた状態を示す斜視図である。
【図４】本発明の一実施形態による蓋持ち上げ式メモリカードコネクタにおいて、金属蓋が解除された状態を示す斜視図である。
【図５】本発明の一実施形態による蓋持ち上げ式メモリカードコネクタにおいて、絶縁ベースと金属蓋旋接端とを解放した状態の部分斜視図である。
【図６】本発明の一実施形態による蓋持ち上げ式メモリカードコネクタにおいて、絶縁ベースと金属蓋旋接端のロック状態を示す部分断面図である。
【図７】本発明の一実施形態による蓋持ち上げ式メモリカードコネクタにおいて、絶縁ベースと金属蓋旋接端のロックが解除された状態を示す部分断面図である。
【図８】本発明の一実施形態による蓋持ち上げ式メモリカードコネクタの金属蓋を持ち上げた状態を示す部分断面図である。
【図９】本発明の一実施形態による蓋持ち上げ式メモリカードコネクタの金属蓋の旋接突起部が前後して移動する状態を示す模式図である。
【図１０】本発明の他の実施形態による蓋持ち上げ式メモリカードコネクタにおいて、絶縁ベースと金属蓋旋接端とを解放した状態の部分斜視図である。
【図１１】本発明の他の実施形態による蓋持ち上げ式メモリカードコネクタの金属蓋の旋接突起部が前後して移動する状態を示す模式図である。
【図１２】本発明の一実施形態による蓋持ち上げ式メモリカードコネクタにおいて、接地プレートと金属蓋接地ばねシートとの導通接触状態を示す模式図である。
【図１３】図１２のＡ−Ａ線に沿う断面図である。
【符号の説明】
【００１６】
１：絶縁ベース、２：金属蓋、１１：収容溝、１２、１３：側壁、１４：導通端子、１４１：ハンダ付け部、１５、１６：接地プレート、１５１：ピン、１７：旋接溝、１７１：開口部、１７２：延長溝、１７３：突起部、１８：溝表面、１８１：挿入孔、２１：接地ばねシート、２２：噛み合わせシート、２３：旋接突起部、２３１：延長突起部
【図１】
2009117329.tif 000003
【図２】
2009117329.tif 000004
【図３】
2009117329.tif 000005
【図４】
2009117329.tif 000006
【図５】
2009117329.tif 000007
【図６】
2009117329.tif 000008
【図７】
2009117329.tif 000009
【図８】
2009117329.tif 000010
【図９】
2009117329.tif 000011
【図１０】
2009117329.tif 000012
【図１１】
2009117329.tif 000013
【図１２】
2009117329.tif 000014
【図１３】
2009117329.tif 000015